(57)【要約】【課題】人体検知センサ、照度センサ及び調光器等の外部機器を接続して照明制御を行う場合に、コストの高騰を回避するとともに、汎用性を向上させる。  【解決手段】照明点灯装置１１は、一般的な電子安定器に入力信号処理部１１９および外部機器判別部１２０を加えて構成される。照明点灯装置１１に接続される外部機器１２には、人体検知センサ１２１、照度センサ１２２及び調光器１２３が含まれ、それぞれに特有の点灯動作制御信号と外部機器判別信号を、それぞれ入力信号処理部１１９及び外部機器判別部１２０に出力する。外部機器判別部１２０は、外部機器判別信号に基づいて照明点灯装置１１接続される外部機器の種類を判定し、入力信号処理部１１９は、判定した外部機器の種類に応じて点灯動作制御信号を処理して、出力制御信号をインバータ制御部１１８に送る。【選択図】図１
2010055766.tif 000002
【特許請求の範囲】
【請求項１】
外部機器として、人の存否を検知する人体検知センサと、空間の照度を検出する照度センサと、前記空間の照度を任意に調整する調光器のいずれかが接続され、前記外部機器から出力される信号に基づいて、光源の光出力を制御するための出力制御信号を生成する照明点灯装置であって、
前記外部機器から出力される信号に基づいて、接続された前記外部機器の種類を判別する外部機器判別部と、
前記外部機器から出力される信号に基づいて、前記出力制御信号を生成する信号処理部とを具備した照明点灯装置。
【請求項２】
請求項１に記載の照明点灯装置であって、
前記外部機器から出力される信号は、
前記外部機器それぞれに特有の外部機器判別信号と、
前記光源の点灯動作を制御するための、前記外部機器それぞれに特有の点灯動作制御信号と、
からなり、
前記外部機器判別部は、
前記外部機器判別信号から、接続された前記外部機器の種類を判別して、前記信号処理部に通知し、
前記信号処理部は、
通知された前記外部機器の種類に対応して、前記点灯動作制御信号から前記出力制御信号を生成する照明点灯装置。
【請求項３】
請求項１に記載の照明点灯装置であって、
前記外部機器から出力される信号は、
前記点灯動作制御信号からなり、
前記外部機器判別部は、
前記点灯動作制御信号から、接続された前記外部機器の種類を判別して、前記信号処理部に通知し、
前記信号処理部は、
通知された前記外部機器の種類に対応して、前記点灯動作制御信号から前記出力制御信号を生成する照明点灯装置。
【請求項４】
請求項３に記載の照明点灯装置であって、
前記人体検知センサから出力される前記点灯動作制御信号の信号形態は、
前記人の存否に応じて、前記光源を点灯、或いは消灯するための２値信号であり、
前記照度センサから出力される前記点灯動作制御信号の信号形態は、
前記空間の照度に応じて変化し、前記光源の出力を制御して前記空間の照度を一定にするための直流電圧であり、
前記調光器から出力される前記点灯動作制御信号の信号形態は、
デューティ比を変化させることによって前記光源の光出力を制御し、前記空間の照度を所望の値に制御するための周波数が一定のＰＷＭ信号であり、
前記外部機器判別部は、
前記点灯動作制御信号が前記いずれの信号形態であるかによって、前記外部機器の種類を判別する照明点灯装置。
【請求項５】
請求項１乃至４のいずれかに記載の照明点灯装置と、
前記照明点灯装置から電力が供給されることによって点灯する前記光源と、
からなる照明器具。
【請求項６】
請求項５に記載の前記照明器具と、
前記照明器具に接続された外部機器と、
からなる照明システム。
【発明の詳細な説明】
【技術分野】
【０００１】
本発明は、人体検知センサや照度センサ、調光器等の外部機器を接続して、光源の点灯や消灯、調光を制御する照明点灯装置、照明器具、及び照明システムに関する。
【背景技術】
【０００２】
従来、人体検知センサを用いて、人がいると検知された場合には高照度で点灯し、人がいないことが検知された時には低照度で点灯、若しくは消灯する照明システムが知られている（例えば、特許文献１参照）。
【０００３】
図７は、このような照明システムの概略構成を示す図である。同図において、人体検知センサ３１によって検出した人の存否を示す信号は、センサ制御ブロック３２に送出される。人の存否を示す信号は、例えば図８に示すように、人を検知した時はＨレベル、人を検知しない時はＬレベルのパルス信号であり、センサ制御ブロック３２は、これらの信号を入力することによって、例えば、図９に示すようなパルス幅変調（ＰＷＭ）された調光信号を電子安定器等の照明点灯装置３３に出力する。
【０００４】
人を検知した時は、図９（ａ）に示すように、放電灯３４をフル点灯させるデューティ５％のＰＷＭ信号を照明点灯装置３３に出力し、人を検知しない時は、図９（ｂ）、（ｃ）に示すように、放電灯３４を消灯させるデューティ１００％のＰＷＭ信号、又は低照度で点灯させるデューティ８５％のＰＷＭ信号を照明点灯装置３３に出力する。
【０００５】
センサ制御ブロック３２は、人を検知した後の点灯保持時間の設定も行い、人がいなくなった直後に放電灯３４を消灯するのではなく、例えば、図１０に示すように、数分間は点灯を維持するように制御する。これは、例えば階段等の照明システムにおいて、人を検知しなくなった直後に消灯すると、階段の昇降が困難になる場合があるからである。
【０００６】
また、照度センサを用いて昼光による周囲の明るさを検出し、検出した明るさに応じて照明器具を適切な光量に自動制御する照明システムがある。この照明システムでは、戸外が明るいときは低照度で点灯し、戸外が暗いときは高照度で点灯することで、常に一定の明るさの照明環境を得るものである（例えば、特許文献１、２参照）。
【０００７】
図１１は、照度センサを用いる照明システムの概略構成を示す図である。同図において、照度センサ４１によって検出された明るさ信号、例えば、図１２（ａ）、（ｂ）に示すように、明るい場合は５Ｖ、暗い場合は１Ｖの直流信号をセンサ制御ブロック４２に送出する。センサ制御ブロック４２は、照度センサ４１から入力された信号に応じて、例えば、図１３に示すようなＰＷＭ調光信号を照明点灯装置４３に出力する。
【０００８】
照度センサ４１で周囲の明るさが暗いと検出された場合は、図１３（ａ）に示すように、放電灯３４をフル点灯させるデューティ５％のＰＷＭ信号を照明点灯装置４３に出力し、明るいと検出された場合は、図１３（ｂ）に示すように、デューティ８５％のＰＷＭ信号を照明点灯装置４３に出力しで調光し、放電灯３４の光出力を低下させる。これにより、照度センサ４１で検出される周囲の明るさによって、例えば図１４に示すように、昼夜に拘わらず空間照度が常にほぼ一定となるように制御することができる。また、照度センサ４１の出力信号と、センサ制御ブロック４２の調光信号の関係を任意に調整することで、制御しようとする空間照度の照度を変更することが可能である。
【０００９】
更に、照明環境の明るさを任意に調整するために、ＰＷＭ信号を照明点灯装置に出力する調光器の例がある。
【００１０】
図１５は、調光器を用いて照明環境の明るさを制御する照明システムの概略構成を示す図である。同図において、調光器５１から出力されるＰＷＭ信号は照明点灯装置５３に入力される。例えば、このＰＷＭ信号のオンデューティ比が、図１６（ａ）に示すように小さい場合には、照明点灯装置５３は放電灯３４の光出力を増加させ、図１６（ｂ）に示すようにオンデューティ比が大きい場合は、照明点灯装置５３は放電灯３４の光出力を減少させる。また、図１６（ｃ）に示すようにオンデューティ比が１００％の場合、照明点灯装置５３は放電灯３４を消灯させる。このように、人が調光器５１のボリュームを調整し、調光器５１から出力されるＰＷＭ信号のデューティ比を変更することで、所望の照度を得ることができる。
【００１１】
以上説明したように、人体検知センサや照度センサ、調光器等の外部機器を用いる従来の照明システムにおいては、信号形態および点灯、調光、消灯といった照明制御が異なるため、それぞれに対応したセンサ制御ブロックを個別に設けるのが一般的であった。
【００１２】
しかしながら、外部機器ごとに個別にセンサ制御ブロックを設けることは、コストアップを招くと共に、汎用性に乏しいという問題をも惹起する。
【００１３】
【特許文献１】特開平０９−６３７７２号公報
【特許文献２】特開平１１−１８５９７３号公報
【発明の開示】
【発明が解決しようとする課題】
【００１４】
本発明は、前記実情に鑑みてなされたもので、人体検知センサ、照度センサ及び調光器等の外部機器を接続して照明制御を行う場合に、コストアップを招くことがなく、汎用性を向上させることのできる照明点灯装置、照明器具、及び照明システムを提供することを目的とする。
【課題を解決するための手段】
【００１５】
本発明の照明点灯装置は、外部機器としての、人の存否を検知する人体検知センサと、空間の照度を検出する照度センサと、前記空間の照度を任意に調整する調光器のいずれかが接続され、前記外部機器から出力される信号に基づいて、光源の光出力を制御するための出力制御信号を生成する照明点灯装置であって、前記外部機器から出力される信号に基づいて、接続された前記外部機器の種類を判別する外部機器判別部と、前記外部機器から出力される信号に基づいて、前記出力制御信号を生成する信号処理部と、を備えるものである。
【００１６】
この構成により、接続された外部機器を自動的に判別して、外部機器に対応する適切な点灯制御が可能となり、汎用性の高い照明点灯装置を提供することができる。また、外部機器ごと個別にセンサ制御ブロックを設ける必要がないので、構成が簡単になり、コストを抑えることができる。
【００１７】
また、本発明の照明点灯装置は、上記の照明点灯装置において、前記外部機器から出力される信号は、前記外部機器それぞれに特有の外部機器判別信号と、前記光源の点灯動作を制御するための、前記外部機器それぞれに特有の点灯動作制御信号と、からなり、前記外部機器判別部は、前記外部機器判別信号から、接続された前記外部機器の種類を判別して、前記信号処理部に通知し、前記信号処理部は、通知された前記外部機器の種類に対応して、前記点灯動作制御信号から前記出力制御信号を生成するものである。
【００１８】
この構成により、接続された外部機器を自動的に判別して、外部機器に対応する適切な点灯制御が可能となり、汎用性の高い照明点灯装置を提供することができる。
【００１９】
更に、本発明の照明点灯装置は、上記の照明点灯装置において、前記外部機器から出力される信号は、前記点灯動作制御信号からなり、前記外部機器判別部は、前記点灯動作制御信号から、接続された前記外部機器の種類を判別して、前記信号処理部に通知し、前記信号処理部は、通知された前記外部機器の種類に対応して、前記点灯動作制御信号から前記出力制御信号を生成するものである。
【００２０】
この構成により、接続された外部機器を判別するための信号線を特別に設ける必要がなく、点灯動作制御信号のみを用いて接続された外部機器の判別を行うので、既存の外部機器であっても対応することができ、コストアップを招くことがなく、汎用性に富む照明点灯装置を提供することが可能となる。
【００２１】
また、本発明の照明点灯装置は、上記の照明点灯装置において、前記人体検知センサから出力される前記点灯動作制御信号の信号形態は、前記人の存否に応じて、前記光源を点灯、或いは消灯するための２値信号であり、前記照度センサから出力される前記点灯動作制御信号の信号形態は、前記空間の照度に応じて変化し、前記光源の出力を制御して前記空間の照度を一定にするための直流電圧であり、前記調光器から出力される前記点灯動作制御信号の信号形態は、デューティ比を変化させることによって前記光源の光出力を制御し、前記空間の照度を所望の値に制御するための周波数が一定のＰＷＭ信号であり、前記外部機器判別部は、前記点灯動作制御信号が前記いずれの信号形態であるかによって、前記外部機器の種類を判別するものである。
【００２２】
この構成により、接続された外部機器を自動的に判別して、外部機器に対応する適切な点灯制御が可能となり、汎用性の高い照明点灯装置を提供することができる。
【００２３】
本発明の照明器具は、上記の照明点灯装置と、前記照明点灯装置から電力が供給されることによって点灯する前記光源と、を備えるものである。
【００２４】
この構成により、接続された外部機器を自動的に判別して、外部機器に対応する適切な点灯制御が可能となり、汎用性の高い照明器具を提供することができる。
【００２５】
本発明の照明システムは、上記の照明器具と、前記照明器具に接続された外部機器と、からなるものである。
【００２６】
この構成により、接続された外部機器を自動的に判別して、外部機器に対応する適切な点灯制御が可能となり、汎用性の高い照明システムを提供することができる。
【発明の効果】
【００２７】
本発明によれば、人体検知センサ、照度センサ及び調光器等の外部機器を接続して照明制御を行う場合に、コストアップを招くことがなく、汎用性を向上させることのできる照明点灯装置、照明器具、及び照明システムを提供できる。
【発明を実施するための最良の形態】
【００２８】
以下、本発明の実施形態に係る照明点灯装置、照明器具、及び照明システムについて、図面を用いて説明する。
【００２９】
（第１の実施形態）
図１は、本発明の第１の実施形態に係る照明システムの概略構成を示す図である。
【００３０】
図１において、本実施形態の照明システム１は、照明点灯装置１１と、照明点灯装置１１に接続される外部機器１２と、照明点灯装置１１から電力が供給されることによって点灯する放電灯１３を有する構成である。
【００３１】
本実施形態における照明システム１の照明点灯装置１１は、入力フィルタ回路１１１、全波整流回路１１２、昇圧チョッパ回路１１３、ハーフブリッジインバータ回路１１４、ＬＣ共振回路１１５、フィラメント予熱回路１１６、チョッパ制御部１１７、インバータ制御部１１８から構成される一般的な電子安定器に、入力信号処理部１１９、外部機器判別部１２０を加えて構成されている。
【００３２】
入力フィルタ回路１１１は、商用電源ＡＣに接続され、高周波ノイズが電源ラインに重畳されるのを防いでいる。
【００３３】
全波整流回路１１２は、高周波ノイズが除去された商用電源を全波整流し、昇圧チョッパ回路１１３は、整流された直流電圧をチョッピングして、インバータ電源となる電圧一定の高電圧（チョッパ電圧Ｖｄｃ）に昇圧する。
【００３４】
ハーフブリッジインバータ回路１１４は、スイッチング素子からなる直列回路を平滑コンデンサの両端間に接続したハーフブリッジ 型のインバータ回路であり、スイッチング素子が交互にオン・オフすることによってチョッパ電圧Ｖｄｃがスイッチングされ、高周波の矩形波電圧に変換する。
【００３５】
ＬＣ共振回路１１５は、ハーフブリッジインバータ回路１１４から矩形波電圧を入力することによる共振作用で略正弦波の電圧を生成する。生成した略正弦波の電圧は放電灯１３の両端に印加され、放電灯１３を点灯させる。
【００３６】
フィラメント予熱回路１１８は、放電灯１３のフィラメントを予熱して点灯を確実にすると共に、放電灯１３の定格寿命を損なわないようにする。
【００３７】
チョッパ制御部１１７は、昇圧チョッパ回路１１３に含まれるスイッチング素子のスイッチ動作を制御する。
【００３８】
インバータ制御部１１８は、ハーフブリッジインバータ回路１１４に含まれるスイッチング周波数を制御し、実質的に放電灯１３の光出力を決定付けるものである。スイッチング周波数は、入力信号処理部１１９から入力される出力制御信号に応じて変化する。
【００３９】
即ち、出力制御信号が増加するとスイッチング周波数が低下し、ＬＣ共振回路１１５と放電灯１３のインピーダンスとの周波数特性により、放電灯１３の光出力が増加する。また、出力制御信号が低下するとスイッチング周波数が高くなり、放電灯１３の光出力が低下する。
【００４０】
入力信号処理部１１９は、外部機器１２から送られる点灯動作制御信号を入力し、外部機器判別部１２０によって判別された外部機器１２の種類に基づいて信号処理形態を変更し、外部機器１２の種類に対応したＤＣの出力制御信号に変換する。
【００４１】
外部機器判別部１２０は、外部機器１２から送られる外部機器判別信号を入力して、外部機器１２の種類を判別し、判別結果を入力信号処理部１１９に送る。
【００４２】
外部機器１２には、人体検知センサ１２１と、照度センサ１２２と、調光器１２３が含まれる。
【００４３】
人体検知センサ１２１は、人体から発する赤外線によって人の存否を検知し、Ｈレベル、又はＬレベルの点灯動作制御信号を照明点灯装置１１の入力信号処理部１１９に出力する。
【００４４】
照度センサ１２２は、昼光による周囲の明るさを検出し、検出した明るさに応じて０〜５ＶのＤＣ電圧の点灯動作制御信号を照明点灯装置１１の入力信号処理部１１９に出力する。
【００４５】
調光器１２３は、照明環境の明るさを任意に制御するために、周波数が一定のＰＷＭ信号を照明点灯装置１１の入力信号処理部１１９に出力する。
【００４６】
また、人体検知センサ１２１、照度センサ１２２及び調光器１２３は、それぞれに特有の外部機器判別信号を照明点灯装置１１の外部機器判別部１２０に出力する。
【００４７】
以上説明したように、このような本発明の第１の実施形態に係る照明システムによれば、一般的な電子安定器に入力信号処理部と外部機器判別部を加えて構成される照明点灯装置を備え、接続された外部機器を自動的に判別し、判別した外部機器に対応する点灯制御を行うので、汎用性を向上させることができる。また、センサ制御ブロックを設ける必要がないので、構成が簡単になり、コストを抑えることができる。
【００４８】
（第２の実施形態）
図２は、本発明の第２の実施形態に係る照明システムの概略構成を示す図である。なお、第１の実施形態における図１と同じ構成要素については、同一符号を付して説明を簡略に、若しくは省略する。
【００４９】
図２において、本実施形態の照明システム２は、照明点灯装置２１と、照明点灯装置２１に接続される外部機器２２と、照明点灯装置１１から電力が供給されることによって点灯する放電灯１３を有する構成である。
【００５０】
本実施形態の照明システム１の照明点灯装置２１は、第１の実施形態において示した照明点灯装置１１の外部機器判別部１２０に代えて、外部機器判別部２２０を有する構成である。
【００５１】
外部機器２２には、人体検知センサ２２１と、照度センサ２２２と、調光器２２３が含まれ、それぞれ点灯動作制御信号を入力信号処理部１１９と外部機器判別部２２０に出力する。
【００５２】
外部機器判別部２２０は、外部機器２２から送られる点灯動作制御信号を入力し、接続された外部機器２２の種類を判別して、判別結果を入力信号処理部１１９に送る。
【００５３】
ここで、外部機器判別部２２０における外部機器２２の種類判別方法と、入力信号処理部１１９における外部機器２２に応じた信号処理の方法について説明する。図３は、外部機器判別部２２０において、接続された外部機器２２の種類を判別する方法を説明するためのフローチャートである。
【００５４】
まず、ステップＳ１０１において、照明システム２の電源を投入すると、接続された外部機器２２から点灯動作制御信号が照明点灯装置２１の外部機器判別部２２０に入力される（ステップＳ１０２）。
【００５５】
外部機器判別部２２０は、入力された信号が周波数１ｋＨｚのＰＷＭ信号であるか否かをチェックし（ステップＳ１０３）、周波数１ｋＨｚのＰＷＭ信号であった場合は、接続された外部機器は調光器２２３であると判定する（ステップＳ１０４）。
【００５６】
次いで、入力信号処理部１１９は、入力した点灯動作制御信号の調光器２２３に対応する信号処理を行い、ＰＷＭ信号のデューティ比に応じた出力制御信号をインバータ制御部１１８に出力する（ステップＳ１０５）。
【００５７】
図４は、入力した点灯動作制御信号のＰＷＭ信号のオンデューティ比に応じて、出力制御信号のレベルが変化し、かつ、放電灯１３に供給される電子安定器の出力レベルが変化する様子を示す図である。同図に示すように、ＰＷＭ信号のオンデューティ比が増加するのに伴って、出力制御信号のレベル並びに電子安定器の出力レベルが減少する。
【００５８】
フローチャートに戻り、ステップＳ１０３におけるチェックの結果、外部機器判別部２２０に入力された信号が周波数１ｋＨｚのＰＷＭ信号でなかった場合は、ステップＳ１０６において、入力された信号が１〜４Ｖの範囲のＤＣ電圧であるか否かをチェックする。
【００５９】
チェックの結果、入力された信号が１〜４Ｖの範囲のＤＣ電圧であった場合は、接続された外部機器は照度センサ２２２であると判定する（ステップＳ１０７）。
【００６０】
入力信号処理部１１９は、入力した点灯動作制御信号の照度センサ２２２に対応する信号処理を行い、１〜４Ｖの範囲のＤＣ電圧レベルに応じた出力制御信号をインバータ制御部１１８に出力する（ステップＳ１０８）。
【００６１】
図５は、入力した点灯動作制御信号のＤＣ電圧レベルに応じて、出力制御信号のレベルが変化し、かつ、出放電灯１３に供給される電子安定器の出力レベルが変化する様子を示す図である。同図に示すように、ＤＣ電圧レベルが高くなるにつれて、出力制御信号レベル並びに電子安定器の出力レベルが減少する。
【００６２】
フローチャートに戻り、ステップＳ１０６におけるチェックの結果、外部機器判別部２２０に入力された信号が１〜４Ｖの範囲のＤＣ電圧でなかった場合は、ステップＳ１０９において、接続された外部機器は人体検知センサ２２１であると判定する（ステップＳ１０９）。
【００６３】
入力信号処理部１１９は、入力した点灯動作制御信号の人体検知センサ２２１に対応する信号処理を行い、０ＶのＬｏｗ信号であれば放電灯１３を消灯し、５Ｖ以上のＨｉｇｈ信号であれば放電灯１３を点灯する出力制御信号をインバータ制御部１１８に出力する。また、人の存在を検知して点灯し、かつ、人がいなくなったことを検知した後の点灯保持時間を設定してインバータ制御部１１８に出力する（ステップＳ１１０）。
【００６４】
図６（ａ）は、入力した点灯動作制御信号のＬｏｗ信号およびＨｉｇｈ信号に応じて、放電灯１３を消灯、又は点灯する様子を示す図である。同図に示すように、０ＶのＬｏｗ信号であれば、出力制御信号のレベル並びに電子安定器の出力レベルを０にして放電灯１３を消灯し、５Ｖ以上のＨｉｇｈ信号であれば、出力制御信号および電子安定器をフル出力して放電灯１３を点灯する。
【００６５】
また、図６（ｂ）は、人を検知した際に放電灯１３を点灯し、人を検知しなくなった時に、入力信号処理部１１９において点灯保持時間を設定して点灯を継続する様子を示している。
【００６６】
以上説明したように、このような本発明の第２の実施形態に係る照明システムによれば、外部機器から出力される点灯動作制御信号のみに基づいて、接続される外部機器の種類を自動的に判別するので、外部機器に対応する適切な点灯制御が可能となり、汎用性を向上させることができる。またセンサ制御ブロックを設ける必要がないので、構成が簡単になり、コストを抑えることができる。
【産業上の利用可能性】
【００６７】
本発明は、人体検知センサ、照度センサ及び調光器等の外部機器を接続して照明制御を行う場合に、コストアップを招くことがなく、汎用性を向上させることができる効果を有し、照明器具の点灯や消灯、調光を制御する照明装置、照明システム等に有用である。
【図面の簡単な説明】
【００６８】
【図１】本発明の第１の実施形態に係る照明システムの概略構成を示す図
【図２】本発明の第２の実施形態に係る照明システムの概略構成を示す図
【図３】本発明の第２の実施形態に係る照明システムにおいて、接続される外部機器の種類を判別する方法を説明するためのフローチャート
【図４】本発明の第２の実施形態に係る照明システムにおいて、接続された外部機器が調光器の場合の出力制御信号および電子安定器の各出力の様子を示す説明図
【図５】本発明の第２の実施形態に係る照明システムにおいて、接続された外部機器が照度センサの場合の出力制御信号および電子安定器の各出力の様子を示す説明図
【図６】（ａ）本発明の第２の実施形態に係る照明システムにおいて、接続された外部機器が人体検知センサの場合の出力制御信号および電子安定器の各出力の様子を示す説明図  （ｂ）本発明の第２の実施形態に係る照明システムにおいて、接続された外部機器が人体検知センサの場合の点灯保持時間の設定を示す説明図
【図７】人体検知センサを用いる従来の照明システムの概略構成を示す図
【図８】従来の照明システムにおいて、人体検知センサからセンサ制御ブロックに出力される信号を示す図
【図９】（ａ）従来の照明システムにおいて、人体検知センサで人が検知された場合に、センサ制御ブロックから照明点灯装置に出力される信号を示す図  （ｂ）従来の照明システムにおいて、人体検知センサで人が検知されない場合に、センサ制御ブロックから照明点灯装置に出力される信号を示す図  （ｃ）従来の照明システムにおいて、人体検知センサで人が検知されない場合に、センサ制御ブロックから照明点灯装置に出力される信号を示す図
【図１０】従来の照明システムにおいて、人体検知センサで人が検知されなくなった場合の点灯保持時間を説明する説明図
【図１１】照度センサを用いる従来の照明システムの概略構成を示す図
【図１２】（ａ）従来の照明システムにおいて、周囲が明るい場合に、照度センサからセンサ制御ブロックに出力される信号を示す図  （ｂ）従来の照明システムにおいて、周囲が暗い場合に、照度センサからセンサ制御ブロックに出力される信号を示す図
【図１３】（ａ）従来の照明システムにおいて、周囲が暗い場合にセンサ制御ブロックから照明点灯装置に出力される信号を示す図  （ｂ）従来の照明システムにおいて、周囲が明るい場合にセンサ制御ブロックから照明点灯装置に出力される信号を示す図
【図１４】従来の照明システムにおいて、照度センサを用いて昼夜の空間照度を一定に制御する様子を示す図
【図１５】調光器を用いる従来の照明システムの概略構成を示す図
【図１６】（ａ）従来の照明システムにおいて、フル点灯する場合に調光器からセンサ制御ブロックに出力される信号を示す図  （ｂ）従来の照明システムにおいて、調光する場合に調光器からセンサ制御ブロックに出力される信号を示す図  （ｃ）従来の照明システムにおいて、消灯する場合に調光器からセンサ制御ブロックに出力される信号を示す図
【符号の説明】
【００６９】
１、２  照明システム
１１、２１  照明点灯装置
１２、２２  外部機器
１１９、２１９  入力信号処理部
１２０、２２０  外部機器判別部
１２１、２２１  人体検知センサ
１２２、２２２  照度センサ
１２３、２２３  調光器
１３  放電灯
【図１】
2010055766.tif 000003
【図２】
2010055766.tif 000004
【図３】
2010055766.tif 000005
【図４】
2010055766.tif 000006
【図５】
2010055766.tif 000007
【図６】
2010055766.tif 000008
【図７】
2010055766.tif 000009
【図８】
2010055766.tif 000010
【図９】
2010055766.tif 000011
【図１０】
2010055766.tif 000012
【図１１】
2010055766.tif 000013
【図１２】
2010055766.tif 000014
【図１３】
2010055766.tif 000015
【図１４】
2010055766.tif 000016
【図１５】
2010055766.tif 000017
【図１６】
2010055766.tif 000018